(57)【特許請求の範囲】
【請求項１】
所定の小さな幅（ｗ）で、上端にＬ字状の引掛部（１ａ）と、これに続くＬ字状のブラケット部（１ｂ）と、このＬ字状のブラケット部（１ｂ）の垂直辺（１ｂ1 ）と水平辺（１ｂ2 ）にわたる側壁板（１ｃ）と、前記垂直辺（１ｂ1 ）と水平辺（１ｂ2 ）における、側壁板（１ｃ）を挟んだ両側に穿設した差込孔（１ｄ，１ｅ）とより形成された棚の側板（１）と、
所定の大きな幅（Ｗ）でＬ字状の、垂直板（２ａ）と、その両縁で後方に突出形成され前記棚の側板（１）の垂直辺（１ｂ1 ）に形成した差込孔（１ｄ）に差し込み嵌合する突起（２ｂ）と、水平板（２ｃ）と、その両縁で下方に突出形成され前記棚の側板（１）の水平辺（１ｂ2 ）に形成した差込孔（１ｅ）に差し込み嵌合する突起（２ｄ）とで形成された棚の底板（２）と、
より構成されたことを特徴とする組立分解可能な陳列棚。
【発明の詳細な説明】
【０００１】
【発明の属する技術分野】
この発明は、例えばＣＤ（コンパクトディスク）やＤＶＤやＣＤ−ＲＯＭやＬＤ（レーザーディスク）や本などを陳列するための組立分解可能な陳列棚に関するものである。
【０００２】
【従来の技術】
図４は従来の陳列棚の側断面図であり、この陳列棚は、上端にＬ字状の引掛部５ａと、これに続くＬ字状のブラケット部５ｂとでブラケット５が形成され、前記Ｌ字状のブラケット部５ｂの水平辺は符号５ｂ1 ，５ｂ1 で示すように、所定間隔で二重になっており、その所定間隔内に、波形補強部材５ｂ2 を介在させている。
このように形成されたブラケット５のＬ字状の引掛部５ａを、壁面６に形成したＴ字を横にしたような棚の取付穴６ａに嵌合して、ブラケット５を所望間隔で壁面６に掛け止めして配設し、このブラケット５の水平辺５ｂ1 に棚板７を置いて、陳列棚を構成するようにしたものである。
【０００３】
【発明が解決しようとする課題】
前記のような従来の陳列棚においては、所望間隔で壁面６に掛け止めして配設したブラケット５の水平辺５ｂ1 間に、単に棚板７を置いているだけであるので、特に縦揺れの地震の際などに、棚板７がブラケット５の水平辺５ｂ1 から持ち上がり、場合によっては取り外れるおそれがあった。
また、ブラケット５の水平辺５ｂ1 の強度を強くするために、二重の水平辺５ｂ1 ，５ｂ1 を形成し、その水平辺５ｂ1 ，５ｂ1 間に波形補強部材５ｂ2 を介在させなければならず、このブラケット５をプラスチックで形成する場合には、金型が複雑でその製造コストが高くなるという問題があった。
この発明は、前記従来のような陳列棚の問題点を解決した組立分解可能な陳列棚を提供することを目的としたものである。
【０００４】
【課題を解決するための手段】
前記目的を達成するため、この発明は、図１および図２を参照して説明すると、所定の小さな幅ｗで、上端にＬ字状の引掛部１ａと、これに続くＬ字状のブラケット部１ｂと、このＬ字状のブラケット部１ｂの垂直辺１ｂ1 と水平辺１ｂ2 にわたる側壁板１ｃと、前記垂直辺１ｂ1 と水平辺１ｂ2 における、側壁板１ｃを挟んだ両側に穿設した差込孔１ｄ，１ｅとより形成された棚の側板１と、
所定の大きな幅ＷでＬ字状の、垂直板２ａと、その両縁で後方に突出形成され前記棚の側板１の垂直辺１ｂ1 に形成した差込孔１ｄに差し込み嵌合する突起２ｂと、水平板２ｃと、その両縁で下方に突出形成され前記棚の側板１の水平辺１ｂ2 に形成した差込孔１ｅに差し込み嵌合する突起２ｄとで形成された棚の底板２とより構成された組立分解可能な陳列棚としたものである。
【０００５】
このような構成の陳列棚としたことにより、図２の（ａ）に示すように、棚の底板２の垂直板２ａの両縁で後方に突出形成された突起２ｂを、前記棚の側板１の垂直辺１ｂ1 の側壁板１ｃを挟んだ両側に穿設した差込孔１ｄに差し込み嵌合し、棚の底板２の水平板２ｃの両縁で下方に突出形成された突起２ｄを、前記棚の側板１の水平辺１ｂ2 の側壁板１ｃを挟んだ両側に穿設した差込孔１ｅに差し込み嵌合し、さらに、棚の底板２の他側縁にも、前記同様に、棚の側板１を嵌合すると、図１に示すような陳列棚を組み立てることができる。
【０００６】
【発明の実施の形態】
以下、この発明の組立分解可能な陳列棚の実施の形態について図面を参照しながら詳細に説明する。
図２の（ａ）はこの発明の組立分解可能な陳列棚の構成要素である例えば合成樹脂で形成された棚の側板１と、同じく合成樹脂で形成された棚の底板２とを組み立てる前の状態（または分解した状態）を示し、図２の（ｂ）は同組み立てた状態を示した一部の斜視図である。
【０００７】
前記棚の側板１は、所定の小さな幅ｗで、上端にＬ字状の引掛部１ａと、これに続くＬ字状のブラケット部１ｂと、このＬ字状のブラケット部１ｂの垂直辺１ｂ1 と水平辺１ｂ2 にわたる側壁板１ｃと、前記垂直辺１ｂ1 と水平辺１ｂ2 における、側壁板１ｃを挟んだ両側に穿設した差込孔１ｄ，１ｅとより形成されている。
また、棚の底板２は、所定の大きな幅ＷでＬ字状の、垂直板２ａと、その両縁で後方に突出形成され前記棚の側板１の垂直辺１ｂ1 に形成した差込孔１ｄに差し込み嵌合する突起２ｂと、水平板２ｃと、その両縁で下方に突出形成され前記棚の側板１の水平辺１ｂ2 に形成した差込孔１ｅに差し込み嵌合する突起２ｄとで形成されている。
【０００８】
なお、Ｌ字状のブラケット部１ｂの水平辺１ｂ2 の前端部における側壁板１ｃの連結部１ｇ（図２の（ａ）参照）に、両側および下側を切欠いた残留部が左右に移動可能で、残留部の下端に左右に突出した爪を有する棚の底板２の浮上防止爪１ｆが形成されている。この浮上防止爪１ｆの作用については後述する。
また、棚の底板２の前端部に、底板２に載置された物が前進移動しないように止める上向折曲部２ｅが形成されている。
つぎに、この組立分解可能な陳列棚の組立について説明すると、図２の（ａ）に示すように、棚の底板２の垂直板２ａの図における左縁で後方に突出形成された突起２ｂを、図における左側の棚の側板１の垂直辺１ｂ1 の側壁板１ｃを挟んだ両側に穿設した差込孔１ｄに差し込み嵌合し、棚の底板２の水平板２ｃの図における左縁で下方に突出形成された突起２ｄを、前記棚の側板１の水平辺１ｂ2 の側壁板１ｃを挟んだ両側に穿設した差込孔１ｅに差し込み嵌合する。
そうすると、棚の側板１に形成した浮上防止爪１ｆの下端が、棚の底板２の水平板２ｃの面上に位置するようになり、棚の底板２が浮上しないようになる。
前記差込孔１ｅと突起２ｄとの嵌合を外すときには、前記浮上防止爪１ｆを押動して退避させて、前記差込孔１ｅと突起２ｄとの嵌合を外すことができる。
【０００９】
さらに、前記棚の底板２の図における右側縁部に形成した突起２ｂ，２ｄと、図における右側の側板１に形成した差込孔１ｄ，１ｅとを差し込み嵌合すると、図１に示すような陳列棚を組み立てることができる。
また、図１に示すように組み立てた陳列棚の図における右側に、棚の底板２の図における左側縁を前記同様に差し込み嵌合し、この棚の底板２の図における右側縁に右側の棚の側板１を差し込み嵌合すると、横に延びた陳列棚を組み立てることができる。
そして、このように組み立てた陳列棚の、Ｌ字状のブラケット部１ｂの上端のＬ字状の引掛部１ａを、壁面６に形成したＴ字を横にしたような棚の取付穴６ａに嵌合して、壁面６に掛け止めして陳列棚を配設することができる。
【００１０】
【発明の効果】
この発明は、以上説明したように、上端にＬ字状の引掛部と、これに続くＬ字状のブラケット部と、このＬ字状のブラケット部の垂直辺と水平辺にわたる側壁板と、前記垂直辺と水平辺における、側壁板を挟んだ両側に穿設した差込孔とより形成された棚の側板と、
所定の大きな幅でＬ字状の、垂直板と、その両縁で後方に突出形成され前記棚の側板の垂直辺に形成した差込孔に差し込み嵌合する突起と、水平板と、その両縁で下方に突出形成され前記棚の側板の水平辺に形成した差込孔に差し込み嵌合する突起とで形成された棚の底板と
より構成された組立分解可能な陳列棚としたので、前記のような棚の側板と棚の底板とを複数個作っておけば、前記棚の側板を形成するＬ字状のブラケット部の垂直辺と水平辺に形成した差込孔に、前記棚の底板を形成する垂直板の両縁で後方に突出形成した突起と、水平板の両縁で下方に突出形成した突起とを差し込んで、これら棚の側板と底板とを接合して所望の長さの陳列棚を簡単に組み立てることができるとともに、このような組み立てによると、縦揺れの地震に際しても、棚の底板が持ち上がって取り外れるようなこともない。
また、陳列棚の組み立て、分解も簡単であり、分解して置けば嵩張らなく、在庫管理が便利である。
また、棚の側板は、Ｌ字状のブラケット部の垂直辺と水平辺にわたって側壁板が一体に形成されているので、前記ブラケット部の垂直辺と水平辺を薄く形成しても十分な強度が得られ、棚の側板をプラスチック成形で製造する場合は、プラスチック材料も少なくてすみ、製造コストも安くなる。
【図面の簡単な説明】
【図１】この発明の組立分解可能な陳列棚を組み立てた状態の斜視図である。
【図２】（ａ）図は棚の側板と棚の底板とを組み立てる前の斜視図で、（ｂ）図は組み立てた後の斜視図である。
【図３】この発明の組立分解可能な陳列棚を組み立てて、壁面に取付た状態の側断面図である。
【図４】従来の陳列棚の側断面図である。
【符号の説明】
１      棚の側板
１ａ    Ｌ字状の引掛部
１ｂ    Ｌ字状のブラケット部
１ｂ1   垂直辺
１ｂ2   水平辺
１ｃ    側壁板
１ｄ    差込孔
１ｅ    差込孔
１ｆ    浮上防止爪
１ｇ    連結部
２      棚の底板
２ａ    垂直板
２ｂ    突起
２ｃ    水平板
２ｄ    突起
２ｅ    上向折曲部
５      ブラケット
５ａ    Ｌ字状の引掛部
５ｂ    Ｌ字状のブラケット部
５ｂ1   水平辺
５ｂ2   波形補強部材
６      壁面
６ａ    棚の取付穴
【図１】
0004537530.tif 000002
【図２】
0004537530.tif 000003
【図３】
0004537530.tif 000004
【図４】
0004537530.tif 000005